(57)【特許請求の範囲】
【請求項１】
源基地局は取得した隣接基地局の下のセル間のサポートされるキャリア・アグリゲーション関係によりターゲット主サービス・セルＰｃｅｌｌとターゲット補助サービス・セルＳｃｅｌｌを決定し、そして前記決定したターゲット主サービス・セルＰｃｅｌｌとターゲット補助サービス・セルＳｃｅｌｌを前記ターゲットＰｃｅｌｌと前記ターゲットＳｃｅｌｌが所属されるターゲット基地局に通知することと、
前記ターゲット基地局は前記ターゲットＰｃｅｌｌ、前記ターゲットＳｃｅｌｌ及び対応するハンドオーバ・コマンドを配置し、そして前記ハンドオーバ・コマンドを前記源基地局に送信することと、
前記源基地局がハンドオーバ・コマンドをユーザー設備に転送し、前記ユーザー設備が前記ハンドオーバ・コマンドにより切り替え過程を完成することと、
を含むことを特徴とする多重搬送波切り替え処理方法。
【請求項２】
前記源基地局が前記サポートされるキャリア・アグリゲーション関係を取得することは、
前記源基地局が稼動、管理及び維持ＯＡＭ設定を通じて又はＸ２インターフェースとの情報対話によって、前記サポートされるキャリア・アグリゲーション関係を取得することを含むことを特徴とする請求項１に記載の方法。
【請求項３】
前記ユーザー設備が前記ハンドオーバ・コマンドにより切り替え過程を完成することは、
前記ユーザー設備が前記ハンドオーバ・コマンドに指示される前記ターゲットＰｃｅｌｌによりランダム・アクセスを行うことを含むことを特徴とする請求項１に記載の方法。
【請求項４】
前記源基地局が前記ターゲット基地局に通知することは、前記源基地局がＸ２切り替え過程に切り替え請求メッセージにより前記ターゲット基地局に通知することを含み、
前記ターゲット基地局が前記ハンドオーバ・コマンドを前記源基地局に送信することは、前記ターゲット基地局がＸ２切り替え過程に前記ハンドオーバ・コマンドを前記源基地局に直接送信することを含むことを特徴とする請求項１〜３のいずれかに記載の方法。
【請求項５】
前記源基地局が前記ターゲット基地局に通知することは、前記源基地局がＳ１切り替え過程に切り替え請求メッセージにより移動性管理実体を通して前記ターゲット基地局に通知することを含み、
前記ターゲット基地局が前記ハンドオーバ・コマンドを前記源基地局に送信することは、前記ターゲット基地局がＳ１切り替え過程に前記移動性管理実体を通して前記ハンドオーバ・コマンドを前記源基地局に送信することを含むことを特徴とする請求項１〜３のいずれかに記載の方法。
【請求項６】
源基地局はターゲットＰｃｅｌｌと選択候補ターゲットＳｃｅｌｌを決定し、そして前記決定したターゲットＰｃｅｌｌと選択候補ターゲットＳｃｅｌｌを前記ターゲットＰｃｅｌｌと前記選択候補ターゲットＳｃｅｌｌが所属されるターゲット基地局に通知することと、
前記ターゲット基地局は前記ターゲットＰｃｅｌｌを配置し、そして前記選択候補ターゲットＳｃｅｌｌの情報によりターゲットＳｃｅｌｌを選択し、前記ターゲットＳｃｅｌｌを配置することと、
前記ターゲット基地局が前記ターゲットＰｃｅｌｌと前記ターゲットＳｃｅｌｌにより対応するハンドオーバ・コマンドを配置し、そして前記ハンドオーバ・コマンドを前記源基地局に送信することと、
前記源基地局が前記ハンドオーバ・コマンドをユーザー設備に転送し、前記ユーザー設備が前記ハンドオーバ・コマンドにより切り替え過程を完成することと、
を含むことを特徴とする多重搬送波切り替え処理方法。
【請求項７】
前記ターゲット基地局が無線リソース管理アルゴリズム前記選択候補ターゲットＳｃｅｌｌの情報によりターゲットＳｃｅｌｌを選択することは、
前記ターゲット基地局が無線リソース管理アルゴリズム、当地のアグリゲーション情報及び前記選択候補ターゲットＳｃｅｌｌ情報により、前記ターゲットＰｃｅｌｌと搬送波集合ができるセルを前記ターゲットＳｃｅｌｌとして選択することを含むことを特徴とする請求項６に記載の方法。
【請求項８】
前記ユーザー設備が前記ハンドオーバ・コマンドにより切り替え過程を完成することは、
前記ユーザー設備が前記ハンドオーバ・コマンドに指示される前記ターゲットＰｃｅｌｌによりランダム・アクセスを行うことを含むことを特徴とする請求項６に記載の方法。
【請求項９】
前記源基地局が前記ターゲット基地局に通知することは、前記源基地局がＸ２切り替え過程に切り替え請求メッセージにより前記ターゲット基地局に通知することを含み、
前記ターゲット基地局が前記ハンドオーバ・コマンドを前記源基地局に送信することは、前記ターゲット基地局がＸ２切り替え過程に前記ハンドオーバ・コマンドを前記源基地局に直接送信することを含むことを特徴とする請求項６〜８のいずれかに記載の方法。
【請求項１０】
前記源基地局が前記ターゲット基地局に通知することは、前記源基地局がＳ１切り替え過程に切り替え請求メッセージにより移動性管理実体を通して前記ターゲット基地局に通知することを含み、
前記ターゲット基地局が前記ハンドオーバ・コマンドを前記源基地局に送信することは、前記ターゲット基地局がＳ１切り替え過程に前記移動性管理実体を通して前記ハンドオーバ・コマンドを前記源基地局に送信することを含むことを特徴とする請求項６〜８のいずれかに記載の方法。
【請求項１１】
源基地局は選択候補ターゲットＰｃｅｌｌと選択候補ターゲットＳｃｅｌｌを決定し、そして前記決定した選択候補ターゲットＰｃｅｌｌと選択候補ターゲットＳｃｅｌｌを前記選択候補ターゲットＰｃｅｌｌと前記選択候補ターゲットＳｃｅｌｌが所属されるターゲット基地局に通知することと、
前記ターゲット基地局は前記選択候補ターゲットＰｃｅｌｌと前記選択候補ターゲットＳｃｅｌｌの情報によりターゲットＰｃｅｌｌとターゲットＳｃｅｌｌを選択することと、
前記ターゲット基地局は前記ターゲットＰｃｅｌｌ、前記ターゲットＳｃｅｌｌ及び対応するハンドオーバ・コマンドを配置し、そして前記ハンドオーバ・コマンドを前記源基地局に送信することと、
前記源基地局が前記ハンドオーバ・コマンドをユーザー設備に転送し、前記ユーザー設備が前記ハンドオーバ・コマンドにより切り替え過程を完成することと、
を含むことを特徴とする多重搬送波切り替え処理方法。
【請求項１２】
前記ターゲット基地局が前記選択候補ターゲットＰｃｅｌｌとＳｃｅｌｌの情報によりターゲットＰｃｅｌｌとターゲットＳｃｅｌｌを選択することは、
前記ターゲット基地局が無線リソース管理アルゴリズム、当地のリソース、負荷情報、当地のアグリゲーション情報及び前記選択候補ターゲットＰｃｅｌｌとＳｃｅｌｌ情報により、搬送波集合ができるターゲットＰｃｅｌｌとターゲットＳｃｅｌｌを選択することを含むことを特徴とする請求項１１に記載の方法。
【請求項１３】
前記ユーザー設備が前記ハンドオーバ・コマンドにより切り替え過程を完成することは、
前記ユーザー設備が前記ハンドオーバ・コマンドに指示される前記ターゲットＰｃｅｌｌによりランダム・アクセスを行うことを含むことを特徴とする請求項１１に記載の方法。
【請求項１４】
前記源基地局が前記ターゲット基地局に通知することは、前記源基地局がＸ２切り替え過程に切り替え請求メッセージにより前記ターゲット基地局に通知することを含み、
前記ターゲット基地局が前記ハンドオーバ・コマンドを前記源基地局に送信することは、前記ターゲット基地局がＸ２切り替え過程に前記ハンドオーバ・コマンドを前記源基地局に直接送信することを含むことを特徴とする請求項１１〜１３のいずれかに記載の方法。
【請求項１５】
前記源基地局が前記ターゲット基地局に通知することは、前記源基地局がＳ１切り替え過程に切り替え請求メッセージにより移動性管理実体を通して前記ターゲット基地局に通知することを含み、
前記ターゲット基地局が前記ハンドオーバ・コマンドを前記源基地局に送信することは、前記ターゲット基地局がＳ１切り替え過程に前記移動性管理実体を通して前記ハンドオーバ・コマンドを前記源基地局に送信することを含むことを特徴とする請求項１１〜１３のいずれかに記載の方法。
【請求項１６】
源基地局、ターゲット基地局及びユーザー設備を含む多重搬送波切り替え処理システムであって、
前記源基地局は、
取得した隣接基地局の下のセル間のサポートされるキャリア・アグリゲーション関係によりターゲット主サービス・セルＰｃｅｌｌとターゲット補助サービス・セルＳｃｅｌｌを決定する第１の決定モジュールと、
前記第１の決定モジュールが決定したターゲット主サービス・セルＰｃｅｌｌとターゲット補助サービス・セルＳｃｅｌｌをターゲットＰｃｅｌｌとターゲットＳｃｅｌｌが所属される前記ターゲット基地局に通知する第１の通知モジュールと、
前記ターゲット基地局からのハンドオーバ・コマンドを受信する第１の受信モジュールと、
前記ハンドオーバ・コマンドをユーザー設備に転送する第１の転送モジュールとを含み、
前記ターゲット基地局は、
前記第１の通知モジュールからの前記決定結果を受信する第４の受信モジュールと、
前記ターゲットＰｃｅｌｌ、前記ターゲットＳｃｅｌｌ及び対応するハンドオーバ・コマンドを配置する第１の配置モジュールと、
前記ハンドオーバ・コマンドを前記源基地局に送信する第１の送信モジュールとを含み、
前記ユーザー設備は、
前記第１の転送モジュールからの前記ハンドオーバ・コマンドを受信する第５の受信モジュールと、
前記ハンドオーバ・コマンドにより切り替え過程を完成する第１の切り替えモジュールとを含むことを特徴とする多重搬送波切り替え処理システム。
【請求項１７】
源基地局、ターゲット基地局及びユーザー設備を含む多重搬送波切り替え処理システムであって、
前記源基地局は、
ターゲットＰｃｅｌｌと選択候補ターゲットＳｃｅｌｌを決定する第２の決定モジュールと、
前記決定モジュールが決定した決定結果を前記ターゲットＰｃｅｌｌと前記選択候補ターゲットＳｃｅｌｌが所属されるターゲット基地局に通知する第２の通知モジュールと、
前記ターゲット基地局からのハンドオーバ・コマンドを受信する第２の受信モジュールと、
前記ハンドオーバ・コマンドをユーザー設備に転送する第２の転送モジュールとを含み、
前記ターゲット基地局は、
前記第２の通知モジュールからの前記決定結果を受信する第６の受信モジュールと、
無線リソース管理アルゴリズムと前記選択候補ターゲットＳｃｅｌｌの情報によりターゲットＳｃｅｌｌを選択する第２の選択モジュールと、
前記ターゲットＰｃｅｌｌ、前記ターゲットＳｃｅｌｌ及び対応するハンドオーバ・コマンドを配置する第２の配置モジュールと、
前記ハンドオーバ・コマンドを前記源基地局に送信する第２の送信モジュールとを含み、
前記ユーザー設備は、
前記第２の転送モジュールからの前記ハンドオーバ・コマンドを受信する第７の受信モジュールと、
前記ハンドオーバ・コマンドにより切り替え過程を完成する第２の切り替えモジュールとを含むことを特徴とする多重搬送波切り替え処理システム。
【請求項１８】
源基地局、ターゲット基地局及びユーザー設備を含む多重搬送波切り替え処理システムであって、
前記源基地局は、
選択候補ターゲットＰｃｅｌｌと選択候補ターゲットＳｃｅｌｌを決定する第３の決定モジュールと、
前記第３の決定モジュールが決定したターゲット主サービス・セルＰｃｅｌｌとターゲット補助サービス・セルＳｃｅｌｌを前記ターゲットＰｃｅｌｌと前記選択候補ターゲットＳｃｅｌｌが所属されるターゲット基地局に通知する第３の通知モジュールと、
前記ターゲット基地局からのハンドオーバ・コマンドを受信する第３の受信モジュールと、
前記ハンドオーバ・コマンドをユーザー設備に転送する第３の転送モジュールとを含み、
前記ターゲット基地局は、
前記第３の通知モジュールからの前記決定結果を受信する第８の受信モジュールと、
無線管理算法、前記選択候補ターゲットＰｃｅｌｌ及び前記選択候補ターゲットＳｃｅｌｌの情報によりターゲットＰｃｅｌｌとターゲットＳｃｅｌｌを選択する第３の選択モジュールと、
前記ターゲットＰｃｅｌｌ、前記ターゲットＳｃｅｌｌ及び対応するハンドオーバ・コマンドを配置する第３の配置モジュールと、
前記ハンドオーバ・コマンドを前記源基地局に送信する第３の送信モジュールとを含み、
前記ユーザー設備は、
前記第３の転送モジュールからの前記ハンドオーバ・コマンドを受信する第９の受信モジュールと、
前記ハンドオーバ・コマンドにより切り替え過程を完成する第３の切り替えモジュールとを含む多重搬送波切り替え処理システム。
【発明の詳細な説明】
【技術分野】
【０００１】
本発明は通信分野に関し、具体的には、多重搬送波切り替え処理方法及びシステムに関する。
【背景技術】
【０００２】
図１は関連技術による長期発展型（Ｌｏｎｇ  Ｔｅｒｍ  Ｅｖｏｌｕｔｉｏｎ，ＬＴＥと略称）システムの発展型世界陸地無線アクセス・ネットワーク（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎ  Ｓｙｓｔｅｍ  Ｒａｄｉｏ  Ａｃｃｅｓｓ  Ｎｅｔｗｏｒｋ，Ｅ−ＵＴＲＡＮと略称）の枠組模式図であり、図１に示すように、ＬＴＥネットワークはＥ−ＵＴＲＡＮと発展型パケット・コア（Ｅｖｏｌｖｅｄ  Ｐａｃｋｅｔ  Ｃｏｒｅ，ＥＰＣと略称）からなり、ネットワークが扁平化を呈する。Ｅ−ＵＴＲＡＮはＳ１インターフェースによりＥＰＣに接続される。Ｅ−ＵＴＲＡＮは複数の相互接続の発展型基地局（Ｅｖｏｌｖｅｄ  ＮｏｄｅＢ，ｅＮＢと略称）からなり、各ｅＮＢ間にＸ２インターフェースにより接続され、ＥＰＣが移動性管理実体（Ｍｏｂｉｌｉｔｙ  Ｍａｎａｇｅｍｅｎｔ  Ｅｎｔｉｔｙ，ＭＭＥと略称）とサービス・ゲートウェイ実体（Ｓｅｒｖｉｎｇ  Ｇａｔｅｗａｙ，Ｓ−ＧＷと略称）からなる。
【０００３】
ＬＴＥネットワーク・システムにおいて、ユーザー設備（Ｕｓｅｒ  Ｅｑｕｉｐｍｅｎｔ，ＵＥと略称）がネットワーク・カバー区域を移動するため、ＵＥのサービス・セルを変化する可能性があり、ＵＥの業務持続性を保持するため、ネットワークがＵＥを補助して各セル間で切り替えさせる必要があり、切り替えを始める方が源側と称し、切り替えの目的方はターゲット側と称する。
【０００４】
人々のもっと高い帯域幅に対する需要を満たすために、ＬＴＥ−Ａ（ＬＴＥ−Ａｄｖａｎｃｅｄ）は搬送波集合の方法を利用してもっと大きい帯域幅の目的を達成し、この時、ＵＥが複数の連続又は非連続の搬送波（各搬送波が成分搬送波と称し、Ｃｏｍｐｏｎｅｎｔ  Ｃａｒｒｉｅｒ，ＣＣと略称）で動作できる。成分搬送波において、１つが主成分搬送波（Ｐｒｉｍａｒｙ  Ｃｏｍｐｏｎｅｎｔ  Ｃａｒｒｉｅｒ、と略称ＰＣＣ）であり、その他の搬送波が補助成分搬送波（Ｓｅｃｏｎｄａｒｙ  Ｃｏｍｐｏｎｅｎｔ  Ｃａｒｒｉｅｒ，ＳＣＣと略称）である。成分搬送波毎にＵＥにサービスを提供するサービス・セルが１つあって、ＰＣＣにおけるサービス・セルが主サービス・セル（ＰｒｉｍａｒｙＣｅｌｌ、Ｐｃｅｌｌと略称）、ＳＣＣにおけるサービス・セルが補助サービス・セル（Ｓｅｃｏｎｄａｒｙ  Ｃｅｌｌ、Ｓｃｅｌｌと略称）である。ＬＴＥ−Ａの無線資源が１つ以上の搬送波を分配でき、即ち少なくとも１つのＰｃｅｌｌとゼロから複数までのＳｃｅｌｌである。
【０００５】
関連技術のＬＴＥ−Ａ多重搬送波システムにおいて、ターゲット・セルが複数のセルでよい場合に、源基地局がどのセルを切り替えターゲット・セルとするかを決定できないため、切り替えを実現することができない。
【発明の概要】
【発明が解決しようとする課題】
【０００６】
本発明の主な目的は、少なくとも上述した問題を解決するように、多重搬送波切り替え処理方法及びシステムを提供することにある。
【課題を解決するための手段】
【０００７】
本発明の一方面によれば、源基地局は取得した隣接基地局の下のセル間のサポートされるキャリア・アグリゲーション関係によりターゲット主サービス・セルＰｃｅｌｌとターゲット補助サービス・セルＳｃｅｌｌを決定し、且つターゲットＰｃｅｌｌとターゲットＳｃｅｌｌが所属されるターゲット基地局に通知することと、ターゲット基地局はターゲットＰｃｅｌｌ、ターゲットＳｃｅｌｌ及び対応するハンドオーバ・コマンドを配置し、ハンドオーバ・コマンドを源基地局に送信することと、源基地局がハンドオーバ・コマンドをユーザー設備に転送し、ユーザー設備がハンドオーバ・コマンドにより切り替え過程を完成することとを含む多重搬送波切り替え処理方法を提供する。
【０００８】
さらに、源基地局がサポートされるキャリア・アグリゲーション関係を取得することは、源基地局が稼動、管理及び維持ＯＡＭ配置を通じて又はＸ２口との情報対話によって、サポートされるキャリア・アグリゲーション関係を取得することを含む。
【０００９】
さらに、ユーザー設備がハンドオーバ・コマンドにより切り替え過程を完成することは、ユーザー設備がハンドオーバ・コマンドに指示されるターゲットＰｃｅｌｌによりランダム・アクセスを行うことを含む。
【００１０】
さらに、該方法において、源基地局がターゲット基地局に通知することは、源基地局がＸ２切り替え過程に切り替え請求メッセージによりターゲット基地局に通知することを含み、ターゲット基地局がハンドオーバ・コマンドを源基地局に送信することは、ターゲット基地局がＸ２切り替え過程にハンドオーバ・コマンドを源基地局に直接送信することを含む。
【００１１】
さらに、該方法において、源基地局がターゲット基地局に通知することは、源基地局がＳ１切り替え過程に切り替え請求メッセージにより移動性管理実体を通してターゲット基地局に通知することを含み、ターゲット基地局がハンドオーバ・コマンドを源基地局に送信することは、ターゲット基地局がＳ１切り替え過程に移動性管理実体を通してハンドオーバ・コマンドを源基地局に送信することを含む。
【００１２】
本発明の一方面によれば、源基地局はターゲットＰｃｅｌｌと選択候補ターゲットＳｃｅｌｌを決定し、そしてターゲットＰｃｅｌｌと選択候補ターゲットＳｃｅｌｌが所属されるターゲット基地局に通知することと、ターゲット基地局はターゲットＰｃｅｌｌを配置し、そして無線リソース管理アルゴリズムと選択候補ターゲットＳｃｅｌｌの情報によりターゲットＳｃｅｌｌを選択し、ターゲットＳｃｅｌｌを配置することと、ターゲット基地局はターゲットＰｃｅｌｌとターゲットＳｃｅｌｌにより対応するハンドオーバ・コマンドを配置し、そしてハンドオーバ・コマンドを源基地局に送信することと、源基地局がハンドオーバ・コマンドをユーザー設備に転送し、ユーザー設備がハンドオーバ・コマンドにより切り替え過程を完成することとを含む多重搬送波切り替え処理方法をさらに提供する。
【００１３】
さらに、ターゲット基地局が無線リソース管理アルゴリズムと選択候補ターゲットＳｃｅｌｌの情報によりターゲットＳｃｅｌｌを選択することは、ターゲット基地局が無線リソース管理アルゴリズム、当地のアグリゲーション情報及び選択候補ターゲットＳｃｅｌｌ情報により、ターゲットＰｃｅｌｌと搬送波集合ができるセルを選択してターゲットＳｃｅｌｌとすることを含む。
【００１４】
さらに、ユーザー設備がハンドオーバ・コマンドにより切り替え過程を完成することは、ユーザー設備がハンドオーバ・コマンドに指示されるターゲットＰｃｅｌｌによりランダム・アクセスを行うことを含む。
【００１５】
さらに、該方法において、源基地局がターゲット基地局に通知することは、源基地局がＸ２切り替え過程に切り替え請求メッセージによりターゲット基地局に通知することを含み、ターゲット基地局がハンドオーバ・コマンドを源基地局に送信することは、ターゲット基地局がＸ２切り替え過程にハンドオーバ・コマンドを源基地局に直接送信することを含む。
【００１６】
さらに、該方法において、源基地局がターゲット基地局に通知することは、源基地局がＳ１切り替え過程に切り替え請求メッセージにより移動性管理実体を通してターゲット基地局に通知することを含み、ターゲット基地局がハンドオーバ・コマンドを源基地局に送信することは、ターゲット基地局がＳ１切り替え過程に移動性管理実体を通してハンドオーバ・コマンドを源基地局に送信することを含む。
【００１７】
本発明の一方面によれば、源基地局は選択候補ターゲットＰｃｅｌｌと選択候補ターゲットＳｃｅｌｌを決定し、そして選択候補ターゲットＰｃｅｌｌと選択候補ターゲットＳｃｅｌｌが所属されるターゲット基地局に通知することと、ターゲット基地局は選択候補ターゲットＰｃｅｌｌと選択候補ターゲットＳｃｅｌｌの情報によりターゲットＰｃｅｌｌとターゲットＳｃｅｌｌを選択することと、ターゲット基地局はターゲットＰｃｅｌｌ、ターゲットＳｃｅｌｌ及び対応するハンドオーバ・コマンドを配置し、そしてハンドオーバ・コマンドを源基地局に送信することと、源基地局がハンドオーバ・コマンドをユーザー設備に転送し、ユーザー設備がハンドオーバ・コマンドにより切り替え過程を完成することとを含む多重搬送波切り替え処理方法をさらに提供する。
【００１８】
さらに、ターゲット基地局が選択候補ターゲットＰｃｅｌｌとＳｃｅｌｌの情報によりターゲットＰｃｅｌｌとターゲットＳｃｅｌｌを選択することは、ターゲット基地局が無線リソース管理アルゴリズム、当地のリソース、負荷情報、当地のアグリゲーション情報及び選択候補ターゲットＰｃｅｌｌとＳｃｅｌｌ情報により、搬送波集合ができるターゲットＰｃｅｌｌとターゲットＳｃｅｌｌを選択することを含む。
【００１９】
さらに、ユーザー設備がハンドオーバ・コマンドにより切り替え過程を完成することは、ユーザー設備がハンドオーバ・コマンドに指示されるターゲットＰｃｅｌｌによりランダム・アクセスを行うことを含む。
【００２０】
さらに、該方法において、源基地局がターゲット基地局に通知することは、源基地局がＸ２切り替え過程に切り替え請求メッセージによりターゲット基地局に通知することを含み、ターゲット基地局がハンドオーバ・コマンドを源基地局に送信することは、ターゲット基地局がＸ２切り替え過程にハンドオーバ・コマンドを源基地局に直接送信することを含む。
【００２１】
さらに、該方法において、源基地局がターゲット基地局に通知することは、源基地局がＳ１切り替え過程に切り替え請求メッセージにより移動性管理実体を通してターゲット基地局に通知することを含み、ターゲット基地局がハンドオーバ・コマンドを源基地局に送信することは、ターゲット基地局がＳ１切り替え過程に移動性管理実体を通してハンドオーバ・コマンドを源基地局に送信することを含む。
【００２２】
本発明の一方面によれば、取得した隣接基地局の下のセル間のサポートされるキャリア・アグリゲーション関係によりターゲット主サービス・セルＰｃｅｌｌとターゲット補助サービス・セルＳｃｅｌｌを決定する第１の決定モジュールと、第１の決定モジュールが決定した決定結果をターゲットＰｃｅｌｌとターゲットＳｃｅｌｌが所属されるターゲット基地局に通知する第１の通知モジュールと、ターゲット基地局からのハンドオーバ・コマンドを受信する第１の受信モジュールと、ハンドオーバ・コマンドをユーザー設備に転送する第１の転送モジュールとを含む源基地局と、第１の通知モジュールからの決定結果を受信する第４の受信モジュールと、ターゲットＰｃｅｌｌ、ターゲットＳｃｅｌｌ及び対応するハンドオーバ・コマンドを配置する第１の配置モジュールと、ハンドオーバ・コマンドを源基地局に送信する第１の送信モジュールとを含むターゲット基地局と、第１の転送モジュールからのハンドオーバ・コマンドを受信する第５の受信モジュールと、ハンドオーバ・コマンドにより切り替え過程を完成する第１の切り替えモジュールとを含むユーザー設備とを含む多重搬送波切り替え処理システムを提供する。
【００２３】
本発明の一方面によれば、ターゲットＰｃｅｌｌと選択候補ターゲットＳｃｅｌｌを決定する第２の決定モジュールと、決定モジュールが決定した決定結果をターゲットＰｃｅｌｌと選択候補ターゲットＳｃｅｌｌが所属されるターゲット基地局に通知する第２の通知モジュールと、ターゲット基地局からのハンドオーバ・コマンドを受信する第２の受信モジュールと、ハンドオーバ・コマンドをユーザー設備に転送する第２の転送モジュールとを含む源基地局と、第２の通知モジュールからの決定結果を受信する第６の受信モジュールと、無線リソース管理アルゴリズムと選択候補ターゲットＳｃｅｌｌの情報によりターゲットＳｃｅｌｌを選択する第２の選択モジュールと、ターゲットＰｃｅｌｌ、ターゲットＳｃｅｌｌ及び対応するハンドオーバ・コマンドを配置する第２の配置モジュールと、ハンドオーバ・コマンドを源基地局に送信する第２の送信モジュールとを含むターゲット基地局と、第２の転送モジュールからのハンドオーバ・コマンドを受信する第７の受信モジュールと、ハンドオーバ・コマンドにより切り替え過程を完成する第２の切り替えモジュールとを含むユーザー設備とを含む多重搬送波切り替え処理システムをさらに提供する。
【００２４】
本発明の一方面によれば、選択候補ターゲットＰｃｅｌｌと選択候補ターゲットＳｃｅｌｌを決定する第３の決定モジュールと、第３の決定モジュールが決定した決定結果をターゲットＰｃｅｌｌと選択候補ターゲットＳｃｅｌｌが所属されるターゲット基地局に通知する第３の通知モジュールと、ターゲット基地局からのハンドオーバ・コマンドを受信する第３の受信モジュールと、ハンドオーバ・コマンドをユーザー設備に転送する第３の転送モジュールとを含む源基地局と、第３の通知モジュールからの決定結果を受信する第８の受信モジュールと、無線管理算法及び選択候補ターゲットＰｃｅｌｌと選択候補ターゲットＳｃｅｌｌの情報によりターゲットＰｃｅｌｌとターゲットＳｃｅｌｌを選択する第３の選択モジュールと、ターゲットＰｃｅｌｌ、ターゲットＳｃｅｌｌ及び対応するハンドオーバ・コマンドを配置する第３の配置モジュールと、ハンドオーバ・コマンドを源基地局に送信する第３の送信モジュールとを含むターゲット基地局と、第３の転送モジュールからのハンドオーバ・コマンドを受信する第９の受信モジュールと、ハンドオーバ・コマンドにより切り替え過程を完成する第３の切り替えモジュールとを含むユーザー設備とを含む多重搬送波切り替え処理システムをさらに提供する。
【００２５】
本発明によれば、源基地局又はターゲット基地局がＰｃｅｌｌとＳｃｅｌｌを決定する方法を利用し、ＬＴＥ−Ａ多重搬送波システムにおいて源基地局がどのセルを切り替えターゲット・セルとするかを決定できず、切り替えを実現できない問題を解決し、そして多重搬送波システムの切り替えを実現した。
【００２６】
ここで説明する図面は本発明を理解させるためのもので、本発明の一部を構成し、本発明における模式的な実施例とその説明共に本発明を解釈し、本発明を不当に限定するのではない。
【図面の簡単な説明】
【００２７】
【図１】関連技術によるＬＴＥシステムのＥ−ＵＴＲＡＮの枠組模式図である。
【図２】本発明の実施例による第１種多重搬送波切り替え処理方法のフローチャート    である。
【図３】本発明の実施例による第１種多重搬送波切り替え処理システムの構造のブロ    ック図である。
【図４】本発明の実施例による第２種多重搬送波切り替え処理方法のフローチャート    である。
【図５】本発明の実施例による第２種多重搬送波切り替え処理システムの構造のブロ    ック図である。
【図６】本発明の実施例による第３種多重搬送波切り替え処理方法のフローチャート    である。
【図７】本発明の実施例による第３種多重搬送波切り替え処理システムの構造のブロ    ック図である。
【発明を実施するための形態】
【００２８】
以下、図面と実施例を参照しながら、本発明を詳しく説明する。特に説明するのは、対立してない場合に、本案における実施例及び実施例における特徴が相互に組み合ってもよい。
【００２９】
ＬＴＥ−Ａ多重搬送波システムの切り替え過程において、源基地局、ターゲット基地局及びユーザー設備を主に含み、切り替えを行う過程に、Ｘ２の切り替え過程において、各基地局間にＸ２インターフェースにより通信を直接に行い、Ｓ１の切り替え過程において、各基地局間にＭＭＥを通して通信を行う。
【００３０】
実施例１
本発明の実施例により、多重搬送波切り替え処理方法を提供する。図２は本発明の実施例による第１種多重搬送波切り替え処理方法のフローチャートである、図２に示すように、
源基地局が既に取得した隣接基地局の下のセル間のサポートされるキャリア・アグリゲーション関係によりターゲット主サービス・セルＰｃｅｌｌとターゲット補助サービス・セルＳｃｅｌｌを決定し、そしてターゲットＰｃｅｌｌとターゲットＳｃｅｌｌが所属されるターゲット基地局に通知するステップＳ２０２と、
ターゲット基地局がターゲットＰｃｅｌｌ、ターゲットＳｃｅｌｌ及び対応するハンドオーバ・コマンドを配置し、そしてハンドオーバ・コマンドを源基地局に送信するステップＳ２０４と、
源基地局がハンドオーバ・コマンドをユーザー設備に転送し、ユーザー設備がハンドオーバ・コマンドにより切り替え過程を完成するステップＳ２０６とを含む。
【００３１】
関連技術において、ＬＴＥ−Ａ多重搬送波システムにおいて源基地局がどのセルを切り替えターゲット・セルとするかを決定できいため、切り替えを実現できなくなり、該実施例により、源基地局でターゲットＰｃｅｌｌとターゲットＳｃｅｌｌを決定し、そして切り替えの過程を実現し、具体的には、源基地局はターゲット基地局のいくつかのセル同士がお互いに搬送波集合ができるかを知ることができ、例えばＣＣ１の隣りセルＮＣｅｌｌ１、ＣＣ２上の隣りセルＮＣｅｌｌ２及びＣＣ３上の隣りセルＮＣｅｌｌ３が挙げられ、源基地局は配置又は自動隣りセル管理機能によりＮＣｅｌｌ１、ＮＣｅｌｌ２及びＮＣｅｌｌ３が同一の基地局に所属することを知ることができ、取得したサポートされるキャリア・アグリゲーション関係によりＮＣｅｌｌ１、ＮＣｅｌｌ２及びＮＣｅｌｌ３内の２つ又は複数のセル同士が搬送波集合ができるかどうかを確認し、これで、源基地局が切り替え判決を行う場合に、ターゲット基地局の複数のセルの負荷及び資源情報を確実に了解でき、よって、源基地局がターゲット基地局下の幾つのセルをＵＥの切り替えターゲット・セルとして指定することができ、従って、多重搬送波システムの切り替えを実現した。
【００３２】
好ましくは、ステップＳ２０２において、源基地局は稼動、管理及び維持（Ｏｐｅｒａｔｉｏｎ  Ａｄｍｉｎｉｓｔｒａｔｉｏｎ  ａｎｄ  Ｍａｉｎｔｅｎａｎｃｅ，ＯＡＭと略称）配置を通じて又はＸ２インターフェースと情報対話を行うことにより、サポートされるキャリア・アグリゲーション関係を取得する。該好適な実施例により、源基地局が予配置又は自配置の方式でサポートされるキャリア・アグリゲーション関係を取得できる。
【００３３】
好ましくは、ステップＳ２０６において、ユーザー設備がハンドオーバ・コマンドに指示されるターゲットＰｃｅｌｌによりランダム・アクセスを行う。そして、ユーザー設備がターゲットＰｃｅｌｌ及びターゲットＳｃｅｌｌとデータ伝送を行う。
【００３４】
さらに、ステップＳ２０２において、源基地局はＸ２切り替え過程に切り替え請求メッセージによりターゲット基地局に通知し、ステップＳ２０４において、ターゲット基地局はＸ２切り替え過程にハンドオーバ・コマンドを源基地局に直接送信する。該好適な実施例により、多重搬送波システムのＸ２切り替え過程を実現できる。
【００３５】
さらに、ステップＳ２０２において、源基地局はＳ１切り替え過程に切り替え請求メッセージにより移動性管理実体を通してターゲット基地局に通知し、ステップＳ２０４において、ターゲット基地局はＳ１切り替え過程に移動性管理実体を通してハンドオーバ・コマンドを源基地局に送信する。該好適な実施例により、多重搬送波システムのＳ１切り替え過程を実現できる。
【００３６】
以下、該実施例の実現過程を詳しく説明する。
ＬＴＥ−Ａ  ＵＥは源基地局Ｓ−ｅＮＢ下のセルでＣＣ１、ＣＣ２及びＣＣ３三搬送波集合を行うことを仮設し、ＣＣ１上のセルＣｅｌｌ１−１を主セル、ＣＣ２上のＣｅｌｌ２−１を補助セル、ＣＣ３上のＣｅｌｌ３−１を補助セルとする。Ｓ−ｅＮＢは隣接基地局Ｔ−ｅＮＢがあり、Ｔ−ｅＮＢはＣＣ１、ＣＣ２、ＣＣ３及びＣＣ４の４つの周波数を支持する。ＣＣ１上にセルＣｅｌｌ１−２、ＣＣ２上にセルＣｅｌｌ２−２、ＣＣ３上にセルＣｅｌｌ３−２、ＣＣ４上にセルＣｅｌｌ４−２がある。Ｃｅｌｌ１−１、Ｃｅｌｌ２−１及びＣｅｌｌ３−１とＣｅｌｌ１−２、Ｃｅｌｌ２−２、Ｃｅｌｌ３−２及びＣｅｌｌ４−２がお互いに隣りセルであり、即ち、単搬送波下の２つの基地局下の任意セル同士間が相互に切り替えることができ、Ｔ−ｅＮＢのＣｅｌｌ１−２、Ｃｅｌｌ２−２及びＣｅｌｌ４−２が搬送波集合ができ、Ｃｅｌｌ３−２が単搬送波セルである。
【００３７】
源基地局は既にＯＡＭ配置又はＸ２インターフェースの情報対話により、隣接基地局の下のセル間のサポートされるキャリア・アグリゲーション関係を取得した。切り替えステップは、源基地局がターゲットＰｃｅｌｌとターゲットＳｃｅｌｌを決定し、そしてＳ１／Ｘ２の切り替え過程にターゲット基地局に通知し、ターゲット基地局が源基地局が決定したＰｃｅｌｌとＳｃｅｌｌにより切り替え準備を行い、そして対応するハンドオーバ・コマンドを配置する。源基地局はハンドオーバ・コマンドをＵＥに送信し、ＵＥがハンドオーバ・コマンドに指示されるターゲットＰｃｅｌｌによりランダム・アクセスを行い、切り替えを完成する。
【００３８】
該実施例の前提は、源基地局が切り替え前に隣接基地局下の隣りセル間の集合可能な関係を知る必要がある。ＬＴＥシステムにおいて源基地局が予配置（例えばＯＡＭ方法）又は自配置（例えばＸ２情報）方法により隣接基地局の隣りセルを取得することができる。
このため、ＬＴＥ−Ａシステムにも予配置又は自配置方法により集合関係の配置を行うことができる。
【００３９】
自配置方法を例として、従来の自配置過程によれば、Ｘ２初期セットアップ過程を通じて隣りセル関係を取得する場合もあるし、Ｘ２更新過程を通じて隣りセル関係を取得する場合もある。Ｘ２セットアップ請求（Ｓｅｔｕｐ  Ｒｅｑｕｅｓｔ）、Ｘ２セットアップ応答（Ｓｅｔｕｐ  Ｒｅｓｐｏｎｓｅ）及び基地局配置アップデート（ｅＮＢ  Ｃｏｎｆｉｇｕｒａｔｉｏｎ  Ｕｐｄａｔｅ）メッセージには隣りセル情報（Ｎｅｉｇｈｂｏｕｒ  Ｉｎｆｏｒｍａｔｉｏｎ）の情報エレメントがあり、その中に、隣りセルのＥ−ＣＧＩ（Ｅ−ＵＴＲＡ  Ｃｅｌｌ  Ｇｌｏｂａｌ  Ｉｄｅｎｔｉｆｉｃａｔｉｏｎ、発展型通用移動通信システム陸地無線アクセス・セル世界標識）、ＰＣＩ（Ｐｈｙｓｉｃａｌ  Ｃｅｌｌ  Ｉｄｅｎｔｉｆｉｃａｔｉｏｎ、物理セル標識）、ＥＡＲＦＣＮ（Ｅ−ＵＴＲＡ  Ａｂｓｏｌｕｔｅ  Ｒａｄｉｏ  Ｆｒｅｑｕｅｎｃｙ  Ｃｈａｎｎｅｌ  Ｎｕｍｂｅｒ、発展型通用移動通信システム無線周波数チャンネル番号)を含み、２つのｅＮＢ同士が該情報エレメントを通じて相手のセル配置を互いに知ることができ、且つ自分の隣りセルと設置する。これに基づき情報エレメント集合情報（Ａｇｇｒｅｇａｔｉｏｎ  Ｉｎｆｏｒｍａｔｉｏｎ）を拡充し、お互いに集合可能なセルを一組として相手基地局に通知する。
本例においてＳ−ｅＮＢとＴ−ｅＮＢのＸ２初期セットアップの場合、Ｓ−ｅＮＢがＸ２  Ｓｅｔｕｐ  ＲｅｑｕｅｓｔをＴ−ｅＮＢに送信し、その中に、Ｎｅｉｇｈｂｏｕｒ  ＩｎｆｏｒｍａｔｉｏｎがＣｅｌｌ１−１、Ｃｅｌｌ２−１及びＣｅｌｌ３−１の情報を含み、且つＡｇｇｒｅｇａｔｉｏｎ  ＩｎｆｏｒｍａｔｉｏｎでＣｅｌｌ１−１、Ｃｅｌｌ２−１及びＣｅｌｌ３−１がお互いに集合できることを明示する。Ｔ−ｅＮＢが受信した後、情報を保存し、そしてＸ２  Ｓｅｔｕｐ  ＲｅｓｐｏｎｓｅをＳ−ｅＮＢに送信し、その中に、Ｎｅｉｇｈｂｏｕｒ  ＩｎｆｏｒｍａｔｉｏｎがＣｅｌｌ１−２、Ｃｅｌｌ２−２、Ｃｅｌｌ３−２及びＣｅｌｌ４−２の情報を含み、且つＡｇｇｒｅｇａｔｉｏｎ  ＩｎｆｏｒｍａｔｉｏｎでＣｅｌｌ１−２、Ｃｅｌｌ２−２及びＣｅｌｌ４−２がお互いに集合できることを明示し、Ｃｅｌｌ３−２がその他のセルと集合できない。集合関係を変更する場合に、変更元がｅＮＢ  Ｃｏｎｆｉｇｕｒａｔｉｏｎ  Ｕｐｄａｔｅにより相隣基地局に通知する。
【００４０】
Ｓ−ｅＮＢはＴ−ｅＮＢのＡｇｇｒｅｇａｔｉｏｎ  Ｉｎｆｏｒｍａｔｉｏｎを了解した後、ＵＥが切り替えをトリガーする場合に、例えば、ＵＥが測量報告Ａ３事件をトリガーして、隣りセルＣｅｌｌ２−２が現在Ｐｃｅｌｌ即ちＣｅｌｌ１−１よりよいことを上級へ報告する。Ｓ−ｅＮＢは切り替えを行うと判決し、Ｘ２切り替えの場合、Ｈａｎｄｏｖｅｒ  Ｒｅｑｕｅｓｔメッセージにターゲット・セルＴａｒｇｅｔ  Ｃｅｌｌ  ＩＤがＣｅｌｌ２−２であることを明示し、ＬＴＥ−Ａのシーン下に、Ｔ−ｅＮＢは、Ｓ−ｅＮＢの要求するターゲットＰｃｅｌｌがＣｅｌｌ２−２であるようにＴａｒｇｅｔ  Ｃｅｌｌ  ＩＤを解釈し、且つＣｅｌｌ２−２で入力パラメーターを提供して生成するＫｅＮＢ*とそれが対応するＮＣＣ（Ｎｅｘｔ  ｈｏｐ  Ｃｈａｉｎｉｎｇ  Ｃｏｕｎｔ）をＡＳ  Ｓｅｃｕｒｉｔｙ  Ｉｎｆｏｒｍａｔｉｏｎに携帯させる。Ｓ−ｅＮＢはまた該メッセージＲＲＣ  Ｃｏｎｔｅｘｔに携帯されるＨａｎｄｏｖｅｒ  ＰｒｅｐａｒａｔｉｏｎＩｎｆｏｒｍａｔｉｏｎにターゲットＳｃｅｌｌがＣｅｌｌ１−２とＣｅｌｌ４−２であることを明示する。一般的に、切り替えた後使用できることを確保するように、Ｓ−ｅＮＢもＵＥの測量報告でターゲットＳｃｅｌｌを選択する。Ｓ１切り替えの場合に、Ｓ−ｅＮＢはＨａｎｄｏｖｅｒ  ＲｅｑｕｉｒｅｄメッセージのＴａｒｇｅｔ  ＩＤにＴ−ｅＮＢのｅＮＢ  ＩＤを記入し、そしてＳｏｕｒｃｅ  ｔｏ  Ｔａｒｇｅｔ  Ｔｒａｎｓｐａｒｅｎｔ  ＣｏｎｔａｉｎｅｒにＳｏｕｒｃｅ  ｅＮＢ  ｔｏ  Ｔａｒｇｅｔ  ｅＮＢ  Ｔｒａｎｓｐａｒｅｎｔ  Ｃｏｎｔａｉｎｅｒを携帯し、後者Ｔａｒｇｅｔ  Ｃｅｌｌ  ＩＤとＲＲＣ  Ｃｏｎｔａｉｎｅｒの内容は上述したＸ２のＨａｎｄｏｖｅｒ  ＲｅｑｕｅｓｔにおけるＴａｒｇｅｔ  Ｃｅｌｌ  ＩＤとＲＲＣ  Ｃｏｎｔｅｘｔの内容と相同である。ＭＭＥがＴａｒｇｅｔ  ＩＤにより情報をＨａｎｄｏｖｅｒ  Ｒｅｑｕｅｓｔを通してＳｏｕｒｃｅ  ｅＮＢ  ｔｏ  Ｔａｒｇｅｔ  ｅＮＢ  Ｔｒａｎｓｐａｒｅｎｔ  ＣｏｎｔａｉｎｅｒをＴ−ｅＮＢに転送する。
【００４１】
Ｔ−ｅＮＢはＸ２のＨａｎｄｏｖｅｒ  Ｒｅｑｕｅｓｔ又はＳ１のＨａｎｄｏｖｅｒ  ＲｅｑｕｅｓｔによりＳ−ｅＮＢの切り替え配置を受信した時、ターゲットＰｃｅｌｌがＣｅｌｌ２−２であり、ターゲットＳｃｅｌｌが２つあり、それぞれＣｅｌｌ１−２とＣｅｌｌ４−２であることを指定する。Ｔ−ｅＮＢはこの搬送波配置により資源準備を行い、且つこれによりハンドオーバ・コマンドＵｕインターフェースのＨａｎｄｏｖｅｒ  Ｃｏｍｍａｎｄを配置し、ハンドオーバ・コマンドにＵＥ切り替え、且つターゲットＰｃｅｌｌがＣｅｌｌ２−２、ターゲットＳｃｅｌｌがＣｅｌｌ１−２とＣｅｌｌ４−２と明示し、その他に、この幾つの搬送波の関連配置情報もあり、且つ現地で資源保留を行う。Ｘ２切り替えであると、Ｔ−ｅＮＢはＨａｎｄｏｖｅｒ  Ｒｅｑｕｅｓｔ  Ａｃｋｎｏｗｌｅｄｇｅにおける情報エレメントＴａｒｇｅｔ  ｅＮＢ  Ｔｏ  Ｓｏｕｒｃｅ  ｅＮＢ  Ｔｒａｎｓｐａｒｅｎｔ  ＣｏｎｔａｉｎｅｒによりＨａｎｄｏｖｅｒ  Ｃｏｍｍａｎｄを携帯する。Ｓ１切り替えであると、Ｔ−ｅＮＢはＨａｎｄｏｖｅｒ  Ｒｅｑｕｅｓｔ  Ａｃｋｎｏｗｌｅｄｇｅを送信してＴａｒｇｅｔ  ｔｏ  Ｓｏｕｒｃｅ  Ｔｒａｎｓｐａｒｅｎｔ  Ｃｏｎｔａｉｎｅｒにより上述した情報エレメントＴａｒｇｅｔ  ｅＮＢ  Ｔｏ  Ｓｏｕｒｃｅ  ｅＮＢ  Ｔｒａｎｓｐａｒｅｎｔ  ＣｏｎｔａｉｎｅｒをＭＭＥに携帯し、そして、それを、ＭＭＥでＨａｎｄｏｖｅｒ  ＣｏｍｍａｎｄによりＳ−ｅＮＢに転送する。Ｔ−ｅＮＢは受信失敗して、例えばＰｃｅｌｌ又はＳｃｅｌｌの当地のリソースが制限される場合、失敗応答メッセージを返信する必要がある。Ｘ２切り替えの場合に、Ｈａｎｄｏｖｅｒ  Ｐｒｅｐａｒａｔｉｏｎ  ＦａｉｌｕｒｅをＳ−ｅＮＢに返信し、Ｓ１切り替えの場合に、Ｈａｎｄｏｖｅｒ  Ｆａｉｌｕｒｅを返信し、ＭＭＥが受信した後、Ｈａｎｄｏｖｅｒ  Ｐｒｅｐａｒａｔｉｏｎ  ＦａｉｌｕｒｅをＳ−ｅＮＢに転送する。Ｓｃｅｌｌ受信失敗による切り替え失敗が最終の切り替え成功率に影響を及ぼす（１つの搬送波受信失敗率がｐである場合に、Ｎつの搬送波が同時に切り替えられると、切り替え失敗率がＮ*ｐである）ことを避けるために、Ｔ−ｅＮＢは、Ｐｃｅｌｌが受信成功し、Ｓｃｅｌｌが成功しない場合に、一部成功応答を返信し、例えば本実施例においてＣｅｌｌ２−２が受信成功し、Ｃｅｌｌ１−２とＣｅｌｌ４−２においてＣｅｌｌ１−２のみが成功し、Ｔ−ｅＮＢはＰｃｅｌｌがＣｅｌｌ２−２、ＳｃｅｌｌがＣｅｌｌ１−２であることによりＨａｎｄｏｖｅｒ  Ｃｏｍｍａｎｄを配置し、そして関連資源を保留し、上述した過程によりＨａｎｄｏｖｅｒ  Ｃｏｍｍａｎｄ命令をＳ−ｅＮＢに返信する。また、相応するメッセージに一部失敗情報を示し、例えば本例にＣｅｌｌ４−２が受信失敗し、Ｈａｎｄｏｖｅｒ  Ｃｏｍｍａｎｄに配置されないのを示す。
【００４２】
Ｓ−ｅＮＢはＴ−ｅＮＢ（又はＭＭＥにより転送する）からのＨａｎｄｏｖｅｒ  Ｃｏｍｍａｎｄを受信し、空口のＲＲＣ  Ｃｏｎｎｅｃｔｉｏｎ  Ｒｅｃｏｎｆｉｇｕｒａｔｉｏｎ命令をを通じてＵＥに送信する。ＵＥがメッセージに明示されたターゲットＰｃｅｌｌ  Ｃｅｌｌ２−２により、Ｃｅｌｌ２−２にランダム・アクセスを行い、成功した後に、ＲＲＣ  Ｃｏｎｎｅｃｔｉｏｎ  Ｒｅｃｏｎｆｉｇｕｒａｔｉｏｎ  Ｃｏｍｐｌｅｔｅを送信する。Ｔ−ｅＮＢが該情報を受信した後、ＬＴＥの後続フローに一致し、Ｓ−ｅＮＢの資源釈放を行う。
【００４３】
本発明の実施例によれば、多重搬送波切り替え処理システムを提供する。図３は本発明の実施例による第１種多重搬送波切り替え処理システムの構造のブロック図であり、図３に示すように、該システムは源基地局２、ターゲット基地局４及びユーザー設備６を含む。
【００４４】
源基地局２は、取得したサポートされるキャリア・アグリゲーション関係によりターゲット主サービス・セルＰｃｅｌｌとターゲット補助サービス・セルＳｃｅｌｌを決定する第１の決定モジュール２４と、第１の決定モジュール２４に接続され、第１の決定モジュール２４が決定した決定結果をターゲットＰｃｅｌｌとターゲットＳｃｅｌｌが所属されるターゲット基地局に通知する第１の通知モジュール２６と、ターゲット基地局からのハンドオーバ・コマンドを受信する第１の受信モジュール２８と、第１の受信モジュール２８に接続され、ハンドオーバ・コマンドをユーザー設備に転送する第１の転送モジュール２０とを含む。
【００４５】
ターゲット基地局４は、第１の通知モジュール２６に接続され、第１の通知モジュール２６からの決定結果を受信する第４の受信モジュール４０と、第４の受信モジュール４０に接続され、ターゲットＰｃｅｌｌ、ターゲットＳｃｅｌｌ及び対応するハンドオーバ・コマンドを配置する第１の配置モジュール４２と、第１の配置モジュール４２と第１の受信モジュール２８に接続され、ハンドオーバ・コマンドを源基地局に送信する第１の送信モジュール４４とを含む。
【００４６】
ユーザー設備６は、第１の転送モジュール２０に接続され、第１の転送モジュール２０からのハンドオーバ・コマンドを受信する第５の受信モジュール６０と、第５の受信モジュール６０に接続され、ハンドオーバ・コマンドにより切り替え過程を完成する第１の切り替えモジュール６２とを含む。
【００４７】
関連技術において、ＬＴＥ−Ａ多重搬送波システムにおいて源基地局がどのセルを切り替えターゲット・セルとするかを決定できないため、切り替えを実現できなくなり、該実施例により、源基地局でターゲットＰｃｅｌｌとターゲットＳｃｅｌｌを決定し、そして切り替えの過程を実現し、源基地局はターゲット基地局のいくつかのセル同士がお互いに搬送波集合ができるかを知ることができ、源基地局が切り替え判決を行う場合に、ターゲット基地局の複数のセルの負荷及び資源情報を確実に了解することができ、よって、源基地局がターゲット基地局下の幾つのセルをＵＥの切り替えターゲット・セルとして指定することができ、従って、多重搬送波システムの切り替えを実現した。
【００４８】
好ましくは、第１の切り替えモジュール６２はハンドオーバ・コマンドに指示されるターゲットＰｃｅｌｌによりランダム・アクセスを行う。この後、ユーザー設備がターゲットＰｃｅｌｌ及びターゲットＳｃｅｌｌとデータ伝送を行う。
【００４９】
好ましくは、第１の取得モジュール２２はＯＡＭ配置又はＸ２インターフェースとの情報対話により、サポートされるキャリア・アグリゲーション関係を取得する。該好適な実施例により、源基地局が予配置又は自配置方法によりサポートされるキャリア・アグリゲーション関係を取得することができる。
【００５０】
さらに、第１の通知モジュール２６はＸ２切り替え過程に切り替え請求メッセージによりターゲット基地局に通知し、第１の送信モジュール４４はＸ２切り替え過程にハンドオーバ・コマンドを源基地局に直接送信する。該好適な実施例により、多重搬送波システムのＸ２切り替え過程を実現できる。
【００５１】
さらに、第１の通知モジュール２６はＳ１切り替え過程に切り替え請求メッセージにより移動性管理実体を通してターゲット基地局に通知し、第１の送信モジュール４４はＳ１切り替え過程に移動性管理実体を通してハンドオーバ・コマンドを源基地局に送信する。該好適な実施例により、多重搬送波システムのＳ１切り替え過程を実現できる。
【００５２】
実施例２
本発明の実施例によれば、多重搬送波切り替え処理方法を提供する。図４は本発明の実施例による第２種多重搬送波切り替え処理方法のフローチャートであり、図４に示すように、
源基地局はターゲットＰｃｅｌｌと選択候補ターゲットＳｃｅｌｌを決定し、且つターゲットＰｃｅｌｌと選択候補ターゲットＳｃｅｌｌが所属されるターゲット基地局に通知するステップＳ４０２と、
ターゲット基地局はターゲットＰｃｅｌｌを配置し、そして無線資源管理（Ｒａｄｉｏ  Ｒｅｓｏｕｒｃｅ  Ｍａｎａｇｅ，ＲＲＭと略称）算法と前記選択候補ターゲットＳｃｅｌｌの情報によりターゲットＳｃｅｌｌを選択し、そしてターゲットＳｃｅｌｌを配置するステップＳ４０４と、
ターゲット基地局はターゲットＰｃｅｌｌとターゲットＳｃｅｌｌにより対応するハンドオーバ・コマンドを配置し、そしてハンドオーバ・コマンドを源基地局に送信するステップＳ４０６と、
源基地局がハンドオーバ・コマンドをユーザー設備に転送し、ユーザー設備がハンドオーバ・コマンドにより切り替え過程を完成するステップＳ４０８とを含む。
【００５３】
関連技術において、ＬＴＥ−Ａ多重搬送波システムにおいて源基地局がどのセルを切り替えターゲット・セルとするかを決定できないため、切り替えを実現できなくなり、該実施例により、源基地局がターゲットＰｃｅｌｌを決定し、ターゲット基地局がターゲットＳｃｅｌｌを決定し、従って、多重搬送波システムの切り替えを実現した。
【００５４】
好ましくは、ステップＳ４０４において、ターゲット基地局は無線リソース管理アルゴリズム、当地のアグリゲーション情報及び選択候補ターゲットＳｃｅｌｌ情報により、ターゲットＰｃｅｌｌと搬送波集合ができるセルをターゲットＳｃｅｌｌとして選択する。
【００５５】
好ましくは、ステップＳ４０８において、ユーザー設備はハンドオーバ・コマンドに指示されるターゲットＰｃｅｌｌによりランダム・アクセスを行う。この後、ユーザー設備とターゲットＰｃｅｌｌ及びターゲットＳｃｅｌｌとがデータ伝送を行う。
【００５６】
好ましくは、ステップＳ４０２において、源基地局はＸ２切り替え過程に切り替え請求メッセージによりターゲット基地局に通知し、ステップＳ４０６において、ターゲット基地局はＸ２切り替え過程にハンドオーバ・コマンドを源基地局に直接送信する。該好適な実施例により、多重搬送波システムのＸ２切り替え過程を実現できる。
【００５７】
好ましくは、ステップＳ４０２において、源基地局はＳ１切り替え過程に切り替え請求メッセージにより移動性管理実体を通してターゲット基地局に通知し、ステップＳ４０６において、ターゲット基地局はＳ１切り替え過程に移動性管理実体を通してハンドオーバ・コマンドを源基地局に送信する。該好適な実施例により、多重搬送波システムのＳ１切り替え過程を実現できる。
【００５８】
以下、該実施例の実現過程を詳しく説明する。該実施例において、源基地局とターゲット基地局の配置が実施例１と同様であり、ここでくどく述べない。
【００５９】
実施例２と実施例１の区別は、Ｓ−ｅＮＢにとって予配置又は自配置方法により隣接基地局のＡｇｇｒｅｇａｔｉｏｎ  Ｉｎｆｏｒｍａｔｉｏｎ情報を取得できなく、基地局自身のみが自分のＡｇｇｒｅｇａｔｉｏｎ  Ｉｎｆｏｒｍａｔｉｏｎ情報を了解する。このため、切り替えステップは、源基地局はターゲットＰｃｅｌｌを決定し、そしてその他の可能なターゲット・セル（可能なＳｃｅｌｌ）と一緒にＳ１／Ｘ２の切り替え過程にターゲット基地局に通知し、ターゲット基地局は源基地局が決定したＰｃｅｌｌにより資源を準備し、そして伝送してきたその他の可能なターゲット・セルで、Ｐｃｅｌｌと搬送波集合ができ且つ適当なＳｃｅｌｌを選択する。ターゲット基地局は最終のＰｃｅｌｌとＳｃｅｌｌにより対応するハンドオーバ・コマンドを配置する。源基地局はハンドオーバ・コマンドをＵＥに送信し、ＵＥがハンドオーバ・コマンドに指示されるターゲットＰｃｅｌｌによりランダム・アクセスを行い、切り替えを完成する。
【００６０】
Ｓ−ｅＮＢがＴ−ｅＮＢのＡｇｇｒｅｇａｔｉｏｎ  Ｉｎｆｏｒｍａｔｉｏｎに対して了解しないため、ＵＥが切り替えをトリガーして、例えばＵＥが測量報告Ａ３事件をトリガーする場合に、隣りセルＣｅｌｌ２−２が現在Ｐｃｅｌｌ即ちＣｅｌｌ１−１よりよいことを上級へ報告する。Ｓ−ｅＮＢはターゲットＰｃｅｌｌがＣｅｌｌ２−２であることを決定できるが、Ｃｅｌｌ１−２、Ｃｅｌｌ３−２及びＣｅｌｌ４−２のうちのいくつかのセルがＣｅｌｌ２−２と搬送波集合ができるかを決定できない。Ｓ−ｅＮＢは切り替えを行うと判決した後、Ｘ２切り替えの場合、Ｈａｎｄｏｖｅｒ  Ｒｅｑｕｅｓｔメッセージにターゲット・セルＴａｒｇｅｔ  Ｃｅｌｌ  ＩＤがＣｅｌｌ２−２であることを明示し、ＬＴＥ−Ａのシーン下に、Ｔ−ｅＮＢは、Ｓ−ｅＮＢの要求するターゲットＰｃｅｌｌがＣｅｌｌ２−２であるようにＴａｒｇｅｔ  Ｃｅｌｌ  ＩＤを解釈し、且つＣｅｌｌ２−２で入力パラメーターを提供して生成するＫｅＮＢ*とそれが対応するＮＣＣ（Ｎｅｘｔ  ｈｏｐ  Ｃｈａｉｎｉｎｇ  Ｃｏｕｎｔ）をＡＳ  Ｓｅｃｕｒｉｔｙ  Ｉｎｆｏｒｍａｔｉｏｎに携帯させる。Ｓ−ｅＮＢはまた可能なターゲットＳｃｅｌｌがＣｅｌｌ１−２、Ｃｅｌｌ３−２及びＣｅｌｌ４−２であることを、該メッセージＲＲＣ  Ｃｏｎｔｅｘｔに携帯されるＨａｎｄｏｖｅｒ  Ｐｒｅｐａｒａｔｉｏｎ  Ｉｎｆｏｒｍａｔｉｏｎに明示する。例えばＵＥはその前にもＣｅｌｌ１−２、Ｃｅｌｌ３−２及びＣｅｌｌ４−２の信号がよくなる測量報告を上級へ報告したことがあり、Ｓ−ｅＮＢはＵＥの測量報告により可能なターゲットＳｃｅｌｌを選択し、Ｔ−ｅＮＢがＵＥの受信できるセルからターゲットＳｃｅｌｌを選択するのを確保する。Ｓ１切り替えの場合、実施例１に類似し、Ｈａｎｄｏｖｅｒ  ＲｅｑｕｉｒｅｄメッセージのＴａｒｇｅｔ  ＩＤにＴ−ｅＮＢのｅＮＢ  ＩＤを記入し、そしてＳｏｕｒｃｅ  ｔｏ  Ｔａｒｇｅｔ  Ｔｒａｎｓｐａｒｅｎｔ  ＣｏｎｔａｉｎｅｒにＳｏｕｒｃｅ  ｅＮＢ  ｔｏ  Ｔａｒｇｅｔ  ｅＮＢ  Ｔｒａｎｓｐａｒｅｎｔ  Ｃｏｎｔａｉｎｅｒを携帯し、後者Ｔａｒｇｅｔ  Ｃｅｌｌ  ＩＤとＲＲＣ  Ｃｏｎｔａｉｎｅｒの内容は上述したＸ２のＨａｎｄｏｖｅｒ  ＲｅｑｕｅｓｔにおけるＴａｒｇｅｔ  Ｃｅｌｌ  ＩＤとＲＲＣ  Ｃｏｎｔｅｘｔの内容と同様である。ＭＭＥがＴａｒｇｅｔ  ＩＤによりメッセージをＨａｎｄｏｖｅｒ  Ｒｅｑｕｅｓｔを通してＳｏｕｒｃｅ  ｅＮＢ  ｔｏ  Ｔａｒｇｅｔ  ｅＮＢ  ＴｒａｎｓｐａｒｅｎｔＣｏｎｔａｉｎｅｒをＴ−ｅＮＢに転送する。
【００６１】
Ｔ−ｅＮＢはＸ２のＨａｎｄｏｖｅｒ  Ｒｅｑｕｅｓｔ又はＳ１のＨａｎｄｏｖｅｒ  ＲｅｑｕｅｓｔによりＳ−ｅＮＢの切り替え配置を受信すると、ターゲットＰｃｅｌｌがＣｅｌｌ２−２であり、可能なターゲットＳｃｅｌｌが３つあり、それぞれＣｅｌｌ１−２、Ｃｅｌｌ３−２及びＣｅｌｌ４−２であることを指定する。Ｔ−ｅＮＢは自身Ａｇｇｒｅｇａｔｉｏｎ  Ｉｎｆｏｒｍａｔｉｏｎ情報により、Ｓ−ｅＮＢの要求するＰｃｅｌｌ  Ｃｅｌｌ２−２と搬送波集合ができるセルを探す。本例において、Ｃｅｌｌ１−２とＣｅｌｌ４−２はＣｅｌｌ２−２と搬送波集合を行うことができる。Ｔ−ｅＮＢはＳ−ｅＮＢが指定したＰｃｅｌｌ  Ｃｅｌｌ２−２と自分選定したＳｃｅｌｌ  Ｃｅｌｌ１−２及びＣｅｌｌ４−２により搬送波配置に対応する資源準備を行い、そしてこれによりハンドオーバ・コマンドＵｕインターフェースのＨａｎｄｏｖｅｒＣｏｍｍａｎｄを配置し、ハンドオーバ・コマンドにＵＥ切り替え、且つターゲットＰｃｅｌｌがＣｅｌｌ２−２、ターゲットＳｃｅｌｌがＣｅｌｌ１−２とＣｅｌｌ４−２であることを明示し、その他に、この幾つの搬送波の関連配置情報もある。Ｘ２切り替えの場合、Ｔ−ｅＮＢはＨａｎｄｏｖｅｒ  Ｒｅｑｕｅｓｔ  Ａｃｋｎｏｗｌｅｄｇｅにおける情報エレメントＴａｒｇｅｔ  ｅＮＢ  Ｔｏ  Ｓｏｕｒｃｅ  ｅＮＢ  Ｔｒａｎｓｐａｒｅｎｔ  ＣｏｎｔａｉｎｅｒによりＨａｎｄｏｖｅｒ  Ｃｏｍｍａｎｄを携帯する。Ｓ１切り替えの場合、Ｔ−ｅＮＢはＨａｎｄｏｖｅｒ  Ｒｅｑｕｅｓｔ  Ａｃｋｎｏｗｌｅｄｇｅを送信してＴａｒｇｅｔ  ｔｏ  Ｓｏｕｒｃｅ  Ｔｒａｎｓｐａｒｅｎｔ  Ｃｏｎｔａｉｎｅｒにより上述した情報エレメントＴａｒｇｅｔ  ｅＮＢ  Ｔｏ  Ｓｏｕｒｃｅ  ｅＮＢ  Ｔｒａｎｓｐａｒｅｎｔ  ＣｏｎｔａｉｎｅｒをＭＭＥに携帯し、そして、ＭＭＥでＨａｎｄｏｖｅｒ  ＣｏｍｍａｎｄによりＳ−ｅＮＢに転送する。Ｔ−ｅＮＢは受信失敗して、例えばＰｃｅｌｌの当地のリソースが制限される場合、失敗応答メッセージを返信する必要がある。Ｘ２切り替えの場合に、Ｈａｎｄｏｖｅｒ  Ｐｒｅｐａｒａｔｉｏｎ  ＦａｉｌｕｒｅをＳ−ｅＮＢに返信し、Ｓ１切り替えの場合に、Ｈａｎｄｏｖｅｒ  Ｆａｉｌｕｒｅを返信し、ＭＭＥが受信した後、Ｈａｎｄｏｖｅｒ  Ｐｒｅｐａｒａｔｉｏｎ  ＦａｉｌｕｒｅをＳ−ｅＮＢに転送する。
【００６２】
Ｓ−ｅＮＢはＴ−ｅＮＢ（又はＭＭＥにより転送する）からのＨａｎｄｏｖｅｒ  Ｃｏｍｍａｎｄを受信し、空口のＲＲＣ  Ｃｏｎｎｅｃｔｉｏｎ  Ｒｅｃｏｎｆｉｇｕｒａｔｉｏｎ命令を通じてＵＥに送信する。ＵＥがメッセージに明示されたターゲットＰｃｅｌｌ  Ｃｅｌｌ２−２により、Ｃｅｌｌ２−２にランダム・アクセスを行い、成功した後に、ＲＲＣ  Ｃｏｎｎｅｃｔｉｏｎ  Ｒｅｃｏｎｆｉｇｕｒａｔｉｏｎ  Ｃｏｍｐｌｅｔｅを送信する。Ｔ−ｅＮＢが該メッセージを受信した後、ＬＴＥの後続フローに一致し、Ｓ−ｅＮＢの資源釈放を行う。
【００６３】
本発明の実施例によれば、多重搬送波切り替え処理システムを提供する。図５は本発明の実施例による第２種多重搬送波切り替え処理システムの構造のブロック図であり、図５に示すように、該システムは源基地局２、ターゲット基地局４及びユーザー設備６を含む。
【００６４】
源基地局２は、ターゲットＰｃｅｌｌ和選択候補ターゲットＳｃｅｌｌを決定する第２の決定モジュール１２と、第２の決定モジュール１２に接続され、第２の決定モジュール１２が決定した決定結果をターゲットＰｃｅｌｌと選択候補ターゲットＳｃｅｌｌが所属されるターゲット基地局に通知する第２の通知モジュール１４と、ターゲット基地局からのハンドオーバ・コマンドを受信する第２の受信モジュール１６と、第２の受信モジュール１６に接続され、ハンドオーバ・コマンドをユーザー設備に転送する第２の転送モジュール１８とを含む。
【００６５】
ターゲット基地局４は、第２の通知モジュール１４に接続され、第２の通知モジュール１４からの決定結果を受信する第６の受信モジュール３０と、第６の受信モジュール３０に接続され、無線リソース管理アルゴリズムと選択候補ターゲットＳｃｅｌｌの情報によりターゲットＳｃｅｌｌを選択する第２の選択モジュール３２と、第６の受信モジュール３０と第２の選択モジュール３２に接続され、ターゲットＰｃｅｌｌ、ターゲットＳｃｅｌｌ及び対応するハンドオーバ・コマンドを配置する第２の配置モジュール３４と、第２の配置モジュール３４に接続され、ハンドオーバ・コマンドを源基地局に送信する第２の送信モジュール３６とを含む。
【００６６】
ユーザー設備６は、第２の転送モジュール１８に接続され、第２の転送モジュール１８からのハンドオーバ・コマンドを受信する第７の受信モジュール５０と、第７の受信モジュール５０に接続され、ハンドオーバ・コマンドにより切り替え過程を完成する第２の切り替えモジュール５２とを含む。
【００６７】
関連技術において、ＬＴＥ−Ａ多重搬送波システムにおいて源基地局がどのセルを切り替えターゲット・セルとするかを決定できないため、切り替えを実現できなくなり、該実施例により、源基地局がターゲットＰｃｅｌｌを決定し、ターゲット基地局がターゲットＳｃｅｌｌを決定し、従って、多重搬送波システムの切り替えを実現する。
【００６８】
好ましくは、第２の切り替えモジュール５２はハンドオーバ・コマンドに指示されるターゲットＰｃｅｌｌによりランダム・アクセスを行う。この後、ユーザー設備とターゲットＰｃｅｌｌ及びターゲットＳｃｅｌｌとがデータ伝送を行う。
【００６９】
さらに、第２の通知モジュール１４はＸ２切り替え過程に切り替え請求メッセージによりターゲット基地局に通知し、第２の送信モジュール３６はＸ２切り替え過程にハンドオーバ・コマンドを源基地局に直接送信する。該好適な実施例により、多重搬送波システムのＸ２切り替え過程を実現できる。
【００７０】
さらに、第２の通知モジュール１４はＳ１切り替え過程に切り替え請求メッセージにより移動性管理実体を通してターゲット基地局に通知し、第２の送信モジュール３６はＳ１切り替え過程に移動性管理実体を通してハンドオーバ・コマンドを源基地局に送信する。該好適な実施例により、多重搬送波システムのＳ１切り替え過程を実現できる。
【００７１】
実施例３
本発明の実施例により、多重搬送波切り替え処理方法を提供する。図６は本発明の実施例による第３種多重搬送波切り替え処理方法のフローチャートであり、図６に示すように、
源基地局は選択候補ターゲットＰｃｅｌｌと選択候補ターゲットＳｃｅｌｌを決定し、そして選択候補ターゲットＰｃｅｌｌと選択候補ターゲットＳｃｅｌｌが所属されるターゲット基地局に通知するステップＳ６０２と、
ターゲット基地局は選択候補ターゲットＰｃｅｌｌと選択候補ターゲットＳｃｅｌｌの情報によりターゲットＰｃｅｌｌとターゲットＳｃｅｌｌを選択するステップＳ６０４と、
ターゲット基地局はターゲットＰｃｅｌｌ、ターゲットＳｃｅｌｌ及び対応するハンドオーバ・コマンドを配置し、そしてハンドオーバ・コマンドを源基地局に送信するステップＳ６０６と、
源基地局がハンドオーバ・コマンドをユーザー設備に転送し、ユーザー設備がハンドオーバ・コマンドにより切り替え過程を完成するステップＳ６０８とを含む。
【００７２】
関連技術において、ＬＴＥ−Ａ多重搬送波システムにおいて源基地局がどのセルを切り替えターゲット・セルとするかを決定できないため、切り替えを実現できなくなり、該実施例により、ターゲット基地局がターゲットＰｃｅｌｌとターゲットＳｃｅｌｌを決定し、従って、多重搬送波システムの切り替えを実現する。
【００７３】
好ましくは、ステップＳ６０４において、ターゲット基地局は無線リソース管理アルゴリズム、当地のリソース、負荷情報、当地のアグリゲーション情報及び選択候補ターゲットＰｃｅｌｌとＳｃｅｌｌ情報により、搬送波集合ができるターゲットＰｃｅｌｌとターゲットＳｃｅｌｌを選択する。
【００７４】
好ましくは、ステップＳ６０８において、ユーザー設備はハンドオーバ・コマンドに指示されるターゲットＰｃｅｌｌによりランダム・アクセスを行う。この後、ユーザー設備とターゲットＰｃｅｌｌ及びターゲットＳｃｅｌｌとがデータ伝送を行う。
【００７５】
好ましくは、ステップＳ６０２において、源基地局はＸ２切り替え過程に切り替え請求メッセージによりターゲット基地局に通知し、ステップＳ６０６において、ターゲット基地局はＸ２切り替え過程にハンドオーバ・コマンドを源基地局に直接送信する。該好適な実施例により、多重搬送波システムのＸ２切り替え過程を実現できる。
【００７６】
好ましくは、ステップＳ６０２において、源基地局はＳ１切り替え過程に切り替え請求メッセージにより移動性管理実体を通してターゲット基地局に通知し、ステップＳ６０６において、ターゲット基地局はＳ１切り替え過程に移動性管理実体を通してハンドオーバ・コマンドを源基地局に送信する。該好適な実施例により、多重搬送波システムのＳ１切り替え過程を実現できる。
【００７７】
以下、該実施例の実現過程を詳しく説明する。該実施例において、源基地局とターゲット基地局の配置が実施例１と同様であり、ここでくどく述べない。
【００７８】
実施例３が実施例２に類似し、Ｓ−ｅＮＢにとって予配置又は自配置方法により隣接基地局のＡｇｇｒｅｇａｔｉｏｎ  Ｉｎｆｏｒｍａｔｉｏｎ情報を取得できなく、基地局自身のみが自分のＡｇｇｒｅｇａｔｉｏｎ  Ｉｎｆｏｒｍａｔｉｏｎ情報を了解する。実施例２と異なる点は、ターゲット基地局はターゲット補助サービス・セルを自分選択する外に、自身の資源と負荷状況により源基地局が要求する主サービス・セルを変更してもよい。切り替えステップは、源基地局は可能なターゲットＰｃｅｌｌを決定し、その他の可能なターゲット・セル（可能なＳｃｅｌｌ）と一緒にＳ１／Ｘ２の切り替え過程にターゲット基地局に通知し、ターゲット基地局は源基地局が伝送した可能なＰｃｅｌｌとＳｃｅｌｌ情報、当地のリソース及び負荷情報により、適当なＰｃｅｌｌとＳｃｅｌｌを選択する。ターゲット基地局は最終のＰｃｅｌｌとＳｃｅｌｌにより対応するハンドオーバ・コマンドを配置する。
源基地局はハンドオーバ・コマンドをＵＥに送信し、ＵＥがハンドオーバ・コマンドに指示されるターゲットＰｃｅｌｌによりランダム・アクセスを行い、切り替えを完成する。
【００７９】
Ｓ−ｅＮＢがＴ−ｅＮＢのＡｇｇｒｅｇａｔｉｏｎ  Ｉｎｆｏｒｍａｔｉｏｎに対して了解しないため、ＵＥが切り替えをトリガーする場合に、例えばＵＥが測量報告Ａ３事件をトリガーして、隣りセルＣｅｌｌ２−２が現在Ｐｃｅｌｌ即ちＣｅｌｌ１−１よりよいことを報告する。Ｓ−ｅＮＢはターゲットＰｃｅｌｌがＣｅｌｌ２−２であることを決定できるが、Ｃｅｌｌ１−２、Ｃｅｌｌ３−２及びＣｅｌｌ４−２のうちのいくつかのセルがＣｅｌｌ２−２と搬送波集合ができることかを決定できない。Ｓ−ｅＮＢは切り替えを行うことを判決した後、Ｘ２切り替えの場合、Ｈａｎｄｏｖｅｒ  Ｒｅｑｕｅｓｔメッセージにターゲット・セルＴａｒｇｅｔ  Ｃｅｌｌ  ＩＤがＣｅｌｌ２−２であることを明示し、ＬＴＥ−Ａのシーン下に、Ｔ−ｅＮＢは、Ｓ−ｅＮＢの要求するターゲットＰｃｅｌｌがＣｅｌｌ２−２であるように、Ｔａｒｇｅｔ  Ｃｅｌｌ  ＩＤを解釈し、且つＡＳ  Ｓｅｃｕｒｉｔｙ  ＩｎｆｏｒｍａｔｉｏｎにＣｅｌｌ２−２で入力パラメーターを提供して生成するＫｅＮＢ*とそれが対応するＮＣＣ（Ｎｅｘｔ  ｈｏｐ  Ｃｈａｉｎｉｎｇ  Ｃｏｕｎｔ）を携帯させる。Ｓ−ｅＮＢはまた可能なターゲットＳｃｅｌｌがＣｅｌｌ１−２、Ｃｅｌｌ３−２及びＣｅｌｌ４−２であることを該メッセージＲＲＣ  Ｃｏｎｔｅｘｔに携帯されるＨａｎｄｏｖｅｒ  Ｐｒｅｐａｒａｔｉｏｎ  Ｉｎｆｏｒｍａｔｉｏｎに明示し、これらセルもＴ−ｅＮＢにＰｃｅｌｌとして選択される可能性があるため、Ｃｅｌｌ１−２、Ｃｅｌｌ３−２及びＣｅｌｌ４−２で入力パラメーターを提供して生成したＫｅＮＢ*とそれに対応するＮＣＣ（Ｎｅｘｔ  ｈｏｐ  Ｃｈａｉｎｉｎｇ  Ｃｏｕｎｔ）をＲＲＣ  Ｃｏｎｔｅｘｔに携帯する。例えばＵＥはその前にもＣｅｌｌ１−２、Ｃｅｌｌ３−２及びＣｅｌｌ４−２の信号がよくなる測量報告を上級へ報告したことがあり、Ｓ−ｅＮＢはＵＥの測量報告により、可能なターゲットＳｃｅｌｌを選択し、Ｔ−ｅＮＢがＵＥの受信できるセルからターゲットＳｃｅｌｌを選択することを確保する。Ｓ１切り替えの場合、実施例１に類似し、Ｈａｎｄｏｖｅｒ  ＲｅｑｕｉｒｅｄメッセージのＴａｒｇｅｔ  ＩＤにＴ−ｅＮＢのｅＮＢ  ＩＤを記入し、そしてＳｏｕｒｃｅ  ｔｏ  Ｔａｒｇｅｔ  Ｔｒａｎｓｐａｒｅｎｔ  ＣｏｎｔａｉｎｅｒにＳｏｕｒｃｅ  ｅＮＢ  ｔｏ  Ｔａｒｇｅｔ  ｅＮＢ  Ｔｒａｎｓｐａｒｅｎｔ  Ｃｏｎｔａｉｎｅｒを携帯し、後者Ｔａｒｇｅｔ  Ｃｅｌｌ  ＩＤとＲＲＣ  Ｃｏｎｔａｉｎｅｒの内容は上述したＸ２のＨａｎｄｏｖｅｒ  ＲｅｑｕｅｓｔにおけるＴａｒｇｅｔ  Ｃｅｌｌ  ＩＤとＲＲＣ  Ｃｏｎｔｅｘｔの内容と同様である。ＭＭＥがＴａｒｇｅｔ  ＩＤによりメッセージをＨａｎｄｏｖｅｒ  Ｒｅｑｕｅｓｔを通してＳｏｕｒｃｅ  ｅＮＢ  ｔｏ  Ｔａｒｇｅｔ  ｅＮＢ  Ｔｒａｎｓｐａｒｅｎｔ  ＣｏｎｔａｉｎｅｒをＴ−ｅＮＢに転送する。
【００８０】
Ｔ−ｅＮＢはＸ２のＨａｎｄｏｖｅｒ  Ｒｅｑｕｅｓｔ又はＳ１のＨａｎｄｏｖｅｒ  ＲｅｑｕｅｓｔによりＳ−ｅＮＢの切り替え配置を受信すると、ターゲットＰｃｅｌｌがＣｅｌｌ２−２であり、可能なターゲットＳｃｅｌｌが３つあり、それぞれＣｅｌｌ１−２、Ｃｅｌｌ３−２及びＣｅｌｌ４−２であることを指定する。Ｔ−ｅＮＢは自身資源、負荷及び各セルに対応するＡｇｇｒｅｇａｔｉｏｎ  Ｉｎｆｏｒｍａｔｉｏｎ情報により、ターゲット基地局が指定したＰｃｅｌｌにより配置を行ってもよく、この状況が実施例２の後続過程に一致し、又はＳ−ｅＮＢが指定したＰｃｅｌｌを変更するように決定し、新ＰＣｅｌｌがＣｅｌｌ１−２であり、１つのみのＳｃｅｌｌをＣｅｌｌ４−２として配置する。Ｔ−ｅＮＢが最終に選定したＰｃｅｌｌ  Ｃｅｌｌ１−２とＳｃｅｌｌ  Ｃｅｌｌ４−２は、搬送波配置に対応する資源準備を行い、そしてこれによりハンドオーバ・コマンドＵｕインターフェースのＨａｎｄｏｖｅｒＣｏｍｍａｎｄを配置し、ハンドオーバ・コマンドにＵＥ切り替え、且つターゲットＰｃｅｌｌがＣｅｌｌ１−２、ターゲットＳｃｅｌｌがＣｅｌｌ４−２であることを明示し、その他に、この２つの搬送波の関連配置情報もある。Ｘ２切り替えの場合、Ｔ−ｅＮＢはＨａｎｄｏｖｅｒ  Ｒｅｑｕｅｓｔ  Ａｃｋｎｏｗｌｅｄｇｅにおける情報エレメントＴａｒｇｅｔ  ｅＮＢ  Ｔｏ  Ｓｏｕｒｃｅ  ｅＮＢ  Ｔｒａｎｓｐａｒｅｎｔ  ＣｏｎｔａｉｎｅｒによりＨａｎｄｏｖｅｒ  Ｃｏｍｍａｎｄを携帯する。Ｓ１切り替えの場合、Ｔ−ｅＮＢはＨａｎｄｏｖｅｒ  Ｒｅｑｕｅｓｔ  Ａｃｋｎｏｗｌｅｄｇｅを送信してＴａｒｇｅｔ  ｔｏ  Ｓｏｕｒｃｅ  Ｔｒａｎｓｐａｒｅｎｔ  Ｃｏｎｔａｉｎｅｒにより上述した情報エレメントＴａｒｇｅｔ  ｅＮＢ  Ｔｏ  Ｓｏｕｒｃｅ  ｅＮＢ  Ｔｒａｎｓｐａｒｅｎｔ  ＣｏｎｔａｉｎｅｒをＭＭＥに携帯し、そして、ＭＭＥでＨａｎｄｏｖｅｒ  ＣｏｍｍａｎｄによりＳ−ｅＮＢに転送する。Ｔ−ｅＮＢは受信失敗すると、例えば資源が制限されて適当なＰｃｅｌｌ又はＳｃｅｌｌを探さないと、失敗応答情報を返信する必要がある。Ｘ２切り替えの場合に、ＨａｎｄｏｖｅｒＰｒｅｐａｒａｔｉｏｎ  ＦａｉｌｕｒｅをＳ−ｅＮＢに返信し、Ｓ１切り替えの場合に、Ｈａｎｄｏｖｅｒ  Ｆａｉｌｕｒｅを返信し、ＭＭＥが受信した後、Ｈａｎｄｏｖｅｒ  Ｐｒｅｐａｒａｔｉｏｎ  ＦａｉｌｕｒｅをＳ−ｅＮＢに転送する。
【００８１】
Ｓ−ｅＮＢはＴ−ｅＮＢ（又はＭＭＥにより転送する）からのＵｕインターフェースのＨａｎｄｏｖｅｒ  Ｃｏｍｍａｎｄを受信し、空口のＲＲＣ  Ｃｏｎｎｅｃｔｉｏｎ  Ｒｅｃｏｎｆｉｇｕｒａｔｉｏｎ命令を通じてＵＥに送信する。ＵＥがメッセージに明示されたターゲットＰｃｅｌｌ  Ｃｅｌｌ１−２により、Ｃｅｌｌ１−２にランダム・アクセスを行い、成功した後に、ＲＲＣ  Ｃｏｎｎｅｃｔｉｏｎ  Ｒｅｃｏｎｆｉｇｕｒａｔｉｏｎ  Ｃｏｍｐｌｅｔｅを送信する。Ｔ−ｅＮＢが該情報を受信した後、ＬＴＥの後続フローに一致し、Ｓ−ｅＮＢの資源釈放を行う。
【００８２】
本発明の実施例によれば、多重搬送波切り替え処理システムを提供する。図７は本発明の実施例による第３種多重搬送波切り替え処理システムの構造ブロック図であり、図７に示すように、該システムは源基地局２、ターゲット基地局４及びユーザー設備６を含む。
【００８３】
源基地局２は、選択候補ターゲットＰｃｅｌｌと選択候補ターゲットＳｃｅｌｌを決定する第３の決定モジュール７２と、第３の決定モジュール７２に接続され、第３の決定モジュールが決定した決定結果をターゲットＰｃｅｌｌと選択候補ターゲットＳｃｅｌｌが所属されるターゲット基地局に通知する第３の通知モジュール７４と、ターゲット基地局からのハンドオーバ・コマンドを受信する第３の受信モジュール７６と、第３の受信モジュール７６に接続され、ハンドオーバ・コマンドをユーザー設備に転送する第３の転送モジュール７８とを含む。
【００８４】
ターゲット基地局４は、第３の通知モジュール７４に接続され、第３の通知モジュール７４からの決定結果を受信する第８の受信モジュール８２と、第８の受信モジュール８２に接続され、当地のリソース、負荷情報及び選択候補ターゲットＰｃｅｌｌと選択候補ターゲットＳｃｅｌｌの情報によりターゲットＰｃｅｌｌとターゲットＳｃｅｌｌを選択する第３の選択モジュール８４と、第３の選択モジュール８４に接続され、ターゲットＰｃｅｌｌ、ターゲットＳｃｅｌｌ及び対応するハンドオーバ・コマンドを配置する第３の配置モジュール８６と、第３の配置モジュール８６に接続され、ハンドオーバ・コマンドを源基地局に送信する第３の送信モジュール８８とを含む。
【００８５】
ユーザー設備６は、第３の転送モジュール７８に接続され、第３の転送モジュール７８からのハンドオーバ・コマンドを受信する第９の受信モジュール９２と、第９の受信モジュール９２に接続され、ハンドオーバ・コマンドにより切り替え過程を完成する第３の切り替えモジュール９４とを含む。
【００８６】
関連技術において、ＬＴＥ−Ａ多重搬送波システムにおいて源基地局がどのセルを切り替えターゲット・セルとするかを決定できないため、切り替えを実現できなくなり、該実施例により、ターゲット基地局でターゲットＰｃｅｌｌとターゲットＳｃｅｌｌを決定し、従って、切り替えの過程を実現する。
【００８７】
好ましくは、第３の選択モジュール８４は無線リソース管理アルゴリズム、当地のリソース、負荷情報、当地のアグリゲーション情報及び選択候補ターゲットＰｃｅｌｌとＳｃｅｌｌ情報により、搬送波集合ができるターゲットＰｃｅｌｌとターゲットＳｃｅｌｌを選択する。
【００８８】
好ましくは、第３の切り替えモジュール９４はハンドオーバ・コマンドに指示されるターゲットＰｃｅｌｌによりランダム・アクセスを行う。この後、ユーザー設備とターゲットＰｃｅｌｌ及びターゲットＳｃｅｌｌとがデータ伝送を行う。
【００８９】
さらに、第３の通知モジュール７４はＸ２切り替え過程に切り替え請求メッセージによりターゲット基地局に通知し、第３の送信モジュール８８はＸ２切り替え過程にハンドオーバ・コマンドを源基地局に直接送信する。該好適な実施例により、多重搬送波システムのＸ２切り替え過程を実現できる。
【００９０】
さらに、第３の通知モジュール７４はＳ１切り替え過程に切り替え請求メッセージにより移動性管理実体を通してターゲット基地局に通知し、第３の送信モジュール８８はＳ１切り替え過程に移動性管理実体を通してハンドオーバ・コマンドを源基地局に送信する。該好適な実施例により、多重搬送波システムのＳ１切り替え過程を実現できる。
【００９１】
前記により、本発明の上述した実施例により、源基地局がターゲットＰｃｅｌｌとターゲットＳｃｅｌｌを決定し、又は源基地局がターゲットＰｃｅｌｌを決定し、及びターゲット基地局がターゲットＳｃｅｌｌを決定し、又はターゲット基地局がターゲットＰｃｅｌｌとターゲットＳｃｅｌｌを決定することにより、ＬＴＥ−Ａ多重搬送波システムにおいて源基地局がどのセルを切り替えターゲット・セルとするかを決定できないため、切り替えを実現できなくなる問題を解決し、従って、多重搬送波システムの切り替えを実現した。
【００９２】
当業者にとって、上述の本発明の各モジュール又は各ステップは共通の計算装置によって実現することができ、単独の計算装置に集中させてもよいし、複数の計算装置から構成されるネットワークに分布させてもよく、或は計算装置が実行可能なプログラムのコードによって実現することもできるので、それらを記憶装置に記憶させて計算装置によって実行することができ、また、ある場合には、示された或は述べられたステップがここでのと違う順で実行されてもよく、又はそれらの夫々をそれぞれ集積回路ブロックに製作し、又はそれらにおける複数のモジュール又はステップを単独の集積回路モジュールに製作して実現することができることは明らかなことである。このように、本発明は如何なる指定のハードウェアとソフトウェアの結合にも限定されない。
【００９３】
以上は、本発明の好適な実施例に過ぎず、本発明を限定するものではない。当業者であれば本発明に様々な修正や変形が可能である。本発明の精神や原則内での如何なる修正、置換、改良などは本発明の保護範囲内に含まれる。
【符号の説明】
【００９４】
２  源基地局
４  ターゲット基地局
６  ユーザー設備
【図１】
0005637647.tif 000002
【図２】
0005637647.tif 000003
【図３】
0005637647.tif 000004
【図４】
0005637647.tif 000005
【図５】
0005637647.tif 000006
【図６】
0005637647.tif 000007
【図７】
0005637647.tif 000008